(57)【特許請求の範囲】
【請求項１】
印刷情報を記憶する記憶手段と、
ユーザーからネットワークを介して送信されてきた印刷の予約要求を受け付ける予約受付手段と、
前記受け付けた予約要求に基づいて、印刷する印刷情報を前記記憶手段から検索する印刷情報検索手段と、
前記印刷情報検索手段で検索した印刷情報に基づき、印刷画像情報を作成する画像作成手段とを有し、
前記記憶手段が更にユーザー情報を記憶する情報処理装置であって、
更に、前記記憶手段に記憶されている印刷情報を更新する更新手段と、
前記更新手段により更新された印刷情報と、前記ユーザー情報とから、通知するユーザーを検索するユーザー検索手段と、
前記ユーザー検索手段で検索したユーザーに通知を行う通知手段と
を有することを特徴とする情報処理装置。
【請求項２】
前記通知手段による通知は、電子メールによって行われることを特徴とする請求項１に記載の情報処理装置。
【請求項３】
前記印刷情報は、印刷されるデータを含む
ことを特徴とする請求項１又は２に記載の情報処理装置。
【請求項４】
前記ユーザー情報は、ユーザが情報配信を希望する分野又は項目を含む
ことを特徴とする請求項１乃至３のいずれか１項に記載の情報処理装置。
【請求項５】
前記ユーザー情報は、ユーザの過去の印刷の履歴情報を含む
ことを特徴とする請求項１乃至４のいずれか１項に記載の情報処理装置。
【請求項６】
印刷情報を記憶する記憶手段を有する情報処理装置において、
ユーザーからネットワークを介して送信されてきた印刷の予約要求を受け付ける予約受付ステップと、
前記受け付けた予約要求に基づいて、印刷する印刷情報を前記記憶手段から検索する印刷情報検索ステップと、
前記印刷情報検索ステップで検索した印刷情報に基づき、印刷画像情報を作成する画像作成ステップとを有し、
前記記憶手段が更にユーザー情報を記憶する情報処理装置において、
更に、前記記憶手段に記憶されている印刷情報を更新する更新ステップと、
前記更新ステップにより更新された印刷情報と、前記ユーザー情報とから、通知するユーザーを検索するユーザー検索ステップと、
前記ユーザー検索ステップで検索したユーザーに通知を行う通知ステップと
を有することを特徴とする情報処理方法。
【請求項７】
前記通知ステップでの通知は、電子メールによって行われる
ことを特徴とする請求項６に記載の情報処理方法。
【請求項８】
前記印刷情報は、印刷されるデータを含む
ことを特徴とする請求項６又は７に記載の情報処理方法。
【請求項９】
前記ユーザー情報は、ユーザが情報配信を希望する分野又は項目を含む
ことを特徴とする請求項６乃至８のいずれか１項に記載の情報処理方法。
【請求項１０】
前記ユーザー情報は、ユーザの過去の印刷の履歴情報を含む
ことを特徴とする請求項６乃至９のいずれか１項に記載の情報処理方法。
【請求項１１】
印刷情報を記憶する記憶手段を有する情報処理装置において、
ユーザーからネットワークを介して送信されてきた印刷の予約要求を受け付ける予約受付ステップと、
前記受け付けた予約要求に基づいて、印刷する印刷情報を前記記憶手段から検索する印刷情報検索ステップと、
前記印刷情報検索ステップで検索した印刷情報に基づき、印刷画像情報を作成する画像作成ステップとを有し、
前記記憶手段が更にユーザー情報を記憶する情報処理装置において、
更に、前記記憶手段に記憶されている印刷情報を更新する更新ステップと、
前記更新ステップにより更新された印刷情報と、前記ユーザー情報とから、通知するユーザーを検索するユーザー検索ステップと、
前記ユーザー検索ステップで検索したユーザーに通知を行う通知ステップと
を有することを特徴とする情報処理プログラムを格納した記憶媒体。
【請求項１２】
前記通知ステップでの通知は、電子メールによって行われる
ことを特徴とする請求項１１に記載の情報処理プログラムを格納した記憶媒体。
【請求項１３】
前記印刷情報は、印刷されるデータを含む
ことを特徴とする請求項１１又は１２に記載の情報処理プログラムを格納した記憶媒体。
【請求項１４】
前記ユーザー情報は、ユーザが情報配信を希望する分野又は項目を含む
ことを特徴とする請求項１１乃至１３のいずれか１項に記載の情報処理プログラムを格納した記憶媒体。
【請求項１５】
前記ユーザー情報は、ユーザの過去の印刷の履歴情報を含む
ことを特徴とする請求項１１乃至１４のいずれか１項に記載の情報処理プログラムを格納した記憶媒体。
【請求項１６】
ネットワークを介して接続された、情報処理装置、サーバ、情報端末からなる情報処理システムであって、
前記情報端末は、印刷を行うための前記情報処理装置を指定した印刷の予約要求を前記サーバに対して送信する送信手段を有し、
前記サーバは、前記予約要求を受信する受信手段と、
前記受信した予約要求を前記指定された情報処理装置に転送する転送手段とを有し、
前記情報処理装置は、印刷情報を記憶する記憶手段と、
前記サーバから転送されてきた印刷の予約要求を受け付ける予約受付手段と、
前記受け付けた予約要求に基づいて、印刷する印刷情報を前記記憶手段から検索する印刷情報検索手段と、
前記印刷情報検索手段で検索した印刷情報に基づき、印刷画像情報を作成する画像作成手段とを有し、
前記記憶手段が更にユーザー情報を記憶する情報処理装置を有する情報処理システムであって、
前記情報処理装置は、更に、前記記憶手段に記憶されている印刷情報を更新する更新手段と、
前記更新手段により更新された印刷情報と、前記ユーザー情報とから、通知するユーザーを検索するユーザー検索手段と、
前記ユーザー検索手段で検索したユーザーに通知を行う通知手段とを有し、
前記情報端末は、前記通知をユーザーに知らせる
ことを特徴とする情報処理システム。
【請求項１７】
前記通知は、電子メールにより行われる
ことを特徴とする請求項１６に記載の情報処理システム。
【請求項１８】
前記印刷情報は、印刷されるデータを含む
ことを特徴とする請求項１６又は１７に記載の情報処理システム。
【請求項１９】
前記ユーザー情報は、ユーザが情報配信を希望する分野又は項目を含む
ことを特徴とする請求項１６乃至１８のいずれか１項に記載の情報処理システム。
【請求項２０】
前記ユーザー情報は、ユーザの過去の印刷の履歴情報を含む
ことを特徴とする請求項１６乃至１９のいずれか１項に記載の情報処理システム。
【発明の詳細な説明】
【０００１】
【発明の属する技術分野】
本発明は、各種情報の閲覧、及び各種媒体に貼付するための印刷物の印刷を行い、またネットワークを使って相互通信を行う、情報処理装置、情報処理方法、情報処理プログラムを格納した記憶媒体及び、情報処理システムに関するものである。
【０００２】
【従来の技術】
従来、店頭等に設置されている印刷機能を有する情報処理装置のサービスの利用者（以下、単にユーザーとする）が、印刷物を印刷する際に、ユーザーは情報処理装置を設置している店等まで出向き、情報処理装置を直接操作して印刷内容を決定して印刷する必要があった。
【０００３】
また、印刷されるデータに関連する各種事項の最新情報をユーザーが得る為には、ユーザー自身が情報処理装置を直接操作するか、または情報誌や掲示板等の多人数向けに作成された情報媒体を閲覧し、多くの情報の中から自身の所望する情報をユーザー自身が見つける必要があった。
【０００４】
【発明が解決しようとする課題】
上記従来例では、印刷システム利用時の印刷内容の決定して印刷する際に、ユーザー自身が情報誌などから印刷したい内容を探し出して、情報情報処理装置を直接操作することが必要となる。
【０００５】
本発明は、それに対し、今日では情報通信インフラの普及に加え、パソコンなどの情報処理機器の小型化・高性能化・多機能化が進み、また、インターネットを代表とするネットワークを媒介とした各種通信媒体間の相互通信が可能となっている。更にインターネットメール（インターネットを介して送信される電子メール）の送受信や各種情報サービスに対応した携帯電話機などの携帯型情報端末が普及することで、ユーザーは時間と場所を選ばずに様々なサービスを受けることが可能となる。
【０００６】
以上のような問題点を鑑み、電子メールなどの各種サービスを利用することで、情報処理装置とユーザーの有する機器との間の相互通信を可能にし、それによってユーザーが時間と場所を意識せずに印刷内容の作成や所望する各種情報の取得を簡単に行うことができる情報処理装置、情報処理方法、情報処理プログラムを格納した記憶媒体及び印刷システムを提供することを目的とする。
【０００７】
【課題を解決するための手段】
本願の情報処理装置は、印刷情報を記憶する記憶手段と、ユーザーからネットワークを介して送信されてきた印刷の予約要求を受け付ける予約受付手段と、前記受け付けた予約要求に基づいて、印刷する印刷情報を前記記憶手段から検索する印刷情報検索手段と、前記印刷情報検索手段で検索した印刷情報に基づき、印刷画像情報を作成する画像作成手段とを有し、前記記憶手段が更にユーザー情報を記憶する情報処理装置であって、更に、前記記憶手段に記憶されている印刷情報を更新する更新手段と、前記更新手段により更新された印刷情報と、前記ユーザー情報とから、通知するユーザーを検索するユーザー検索手段と、前記ユーザー検索手段で検索したユーザーに通知を行う通知手段とを有することを特徴とする。
【０００８】
本願の情報処理方法は、印刷情報を記憶する記憶手段を有する情報処理装置において、ユーザーからネットワークを介して送信されてきた印刷の予約要求を受け付ける予約受付ステップと、前記受け付けた予約要求に基づいて、印刷する印刷情報を前記記憶手段から検索する印刷情報検索ステップと、前記印刷情報検索ステップで検索した印刷情報に基づき、印刷画像情報を作成する画像作成ステップとを有し、前記記憶手段が更にユーザー情報を記憶する情報処理装置において、更に、前記記憶手段に記憶されている印刷情報を更新する更新ステップと、前記更新ステップにより更新された印刷情報と、前記ユーザー情報とから、通知するユーザーを検索するユーザー検索ステップと、前記ユーザー検索ステップで検索したユーザーに通知を行う通知ステップとを有することを特徴とする。
【０００９】
本願のコンピュータ読み取り可能な情報処理プログラムを格納した記憶媒体は、印刷情報を記憶する記憶手段を有する情報処理装置において、ユーザーからネットワークを介して送信されてきた印刷の予約要求を受け付ける予約受付ステップと、前記受け付けた予約要求に基づいて、印刷する印刷情報を前記記憶手段から検索する印刷情報検索ステップと、前記印刷情報検索ステップで検索した印刷情報に基づき、印刷画像情報を作成する画像作成ステップとを有し、前記記憶手段が更にユーザー情報を記憶する情報処理装置において、更に、前記記憶手段に記憶されている印刷情報を更新する更新ステップと、前記更新ステップにより更新された印刷情報と、前記ユーザー情報とから、通知するユーザーを検索するユーザー検索ステップと、前記ユーザー検索ステップで検索したユーザーに通知を行う通知ステップとを有することを特徴とする。
【００１０】
本願の情報処理システムは、ネットワークを介して接続された、情報処理装置、サーバ、情報端末からなる情報処理システムであって、前記情報端末は、印刷を行うための前記情報処理装置を指定した印刷の予約要求を前記サーバに対して送信する送信手段を有し、前記サーバは、前記予約要求を受信する受信手段と、前記受信した予約要求を前記指定された情報処理装置に転送する転送手段とを有し、前記情報処理装置は、印刷情報を記憶する記憶手段と、前記サーバから転送されてきた印刷の予約要求を受け付ける予約受付手段と、前記受け付けた予約要求に基づいて、印刷する印刷情報を前記記憶手段から検索する印刷情報検索手段と、前記印刷情報検索手段で検索した印刷情報に基づき、印刷画像情報を作成する画像作成手段とを有し、前記記憶手段が更にユーザー情報を記憶する情報処理装置を有する情報処理システムであって、前記情報処理装置は、更に、前記記憶手段に記憶されている印刷情報を更新する更新手段と、前記更新手段により更新された印刷情報と、前記ユーザー情報とから、通知するユーザーを検索するユーザー検索手段と、前記ユーザー検索手段で検索したユーザーに通知を行う通知手段とを有し、前記情報端末は、前記通知をユーザーに知らせることを特徴とする。
【００１１】
【発明の実施の形態】
以下添付図面を参照して、本発明の好適な実施形態を詳細に説明する。なお、以下の説明に際しては、ＭＤ（Ｍｉｎｉ  Ｄｉｓｃ）やカセットテープなどの音楽と音声の記録媒体に貼付するラベルの印刷、及び音楽関連の情報閲覧が可能な情報処理装置（以下、ラベル作成装置と称する）を用いた印刷システムを用いて説明する。
【００１２】
＜システムの構成＞
図１は本実施形態の代表的な情報処理システムのシステム構成の例である。図１中の１０１はラベル作成装置である。
【００１３】
１０２は、ネットワーク１０４に接続し、外部からの要求に応じてデータを送受信する機能を有するサーバとなる情報処理装置（コンピュータ）である。本実施形態では、ＷＷＷサーバと称する。
【００１４】
１０３はユーザーが直接使用する情報端末装置（以下、情報端末と称する）であり、ネットワーク１０４に接続して、ユーザーが指示した要求を電子メールなどの形で送信し、該要求に対応した電子メールなどの返信を受信する機能と、前記ユーザーの指示入力及び返信内容の表示を行う機能を有する。情報端末１０３は、例えば、インターネット閲覧アプリケーションプログラム（一般的にＷＷＷブラウザと呼ばれる。例えばＭｉｃｒｏｓｏｆｔ社のＩｎｔｅｒｎｅｔＥｘｐｌｏｒｅｒ）、及びネットワーク１０４への接続機能とを有する一般的なパーソナルコンピュータや、ネットワーク１０４への接続機能とＷＷＷブラウザ機能とを有する携帯電話機や携帯型情報処理装置などである。
【００１５】
１０４は、各種機器間でデータの送受信をするためのネットワークであり、本実施形態ではインターネットである。
【００１６】
＜ラベル作成装置＞
ラベル作成装置１０１は、ＭＤやカセットテープなどのラベルを印刷する機能を有する。また、ラベル作成装置１０１は、印刷に関連する各種情報に対して後述する検索機能を有する。
【００１７】
図２は本実施形態のラベル作成装置１０１の構成図である。筐体２０１内に後述するフローチャートに対応するプログラムを用いて処理を行う情報処理部２０２、タッチパネル式ディスプレイ２０３とスキャナー２０４とカードリーダ２０５とプリンタ２０６を組み込み、印刷物が出力口２０７から出力される。
【００１８】
情報処理部２０２は、ハードディスク等に代表される大容量の記憶手段を有する。この記憶手段は、後述するフローチャートに記載したような各種情報の入力・更新・検索などの処理を行うためのプログラムを格納し、必要に応じて情報処理部２０２内の処理を行うＣＰＵなどが該プログラムを読み込み実行する。また、前記記憶手段は、情報の管理を行うためのデータベースを有する。尚、情報処理部２０２で行う処理に対応するプログラムは前記記憶手段から読み込んでも実行するようにしてもよいし、その記憶手段も内臓されているものであっても取り外し可能なものであってもよい。また、ネットワークを通じて他の装置からプログラムを読み込んで実行するように構成してもよい。
【００１９】
また、この情報処理部２０２はネットワークに接続し外部との通信を可能にするネットワークボードを有し、また、このネットワークボードを介して電子メール等のデータを送受信する機能も有する。
【００２０】
図３は、情報処理部２０２内の記憶手段のデータベースに保管するデータ項目及びデータ項目間の関係を説明する模式図である。
【００２１】
ユーザー情報３０１は、本サービスのユーザーに関連するデータの集合で、ユーザー名、ユーザーＩＤ、ユーザーとの通信の際に送信先を特定する為のメールアドレス、ユーザーが興味を持ち電子メールなどによる情報配信を希望する分野や項目、ユーザーが過去にラベル作成装置１０１を利用して印刷した内容の履歴情報などの項目から成る。
【００２２】
予約情報３０２は、本ラベル作成装置の利用予約に関連するデータの集合で、ラベル印刷の予約をしたユーザーを識別する為のユーザーＩＤ、印刷内容を特定するアーティスト名やアルバム名などの項目から成る。
【００２３】
プリント情報３０３は、ラベルに印刷されるデータとそれに関連する情報の集合で、アーティスト名、アルバム名、関連する新譜やイベント情報、広告内容などの項目から成る。
【００２４】
ユーザー情報３０１、予約情報３０２、プリント情報３０３は、下記の関連データ項目によって相互に関連づけされており、この関連から相互のデータ検索が可能である。３０４、３０５、３０６は各情報間の関連するデータを示している。３０４は、ユーザーＩＤをキーワードに、予約情報から当該予約したユーザーのユーザー情報を検索可能であることを示す。３０５は、アーティスト名やアルバム名をキーワードに、予約情報に対応するプリント情報を検索可能であることを示す。３０６は、プリント情報３０３内の新譜、イベント、広告の情報から適合するユーザー情報の検索、及びユーザー情報３０４内のユーザーの趣向や過去履歴から対応する新譜情報やイベント情報及び広告情報の検索を行うことが可能であることを示す。
【００２５】
図４は、情報処理部２０２内でのラベル印刷に関連する各種情報の取り扱いを説明する模式図である。ネットワークボード４０１は、ネットワークへの接続と通信を行い、情報処理部２０２で動作している各種アプリケーションプログラムの処理とネットワーク上の各種情報機器との間のデータ通信を仲介する機器である。情報管理モジュール４０２は、情報処理部２０２で動作するアプリケーションプログラムであり、後述のデータベースに対するデータの読み出しと保存、及び上述した３０４、３０５、３０６の検索を行う。データベース４０３は、情報処理部２０２が有する記憶手段内にあるデータベースであり、図３の各情報を保持する。
【００２６】
また、ラベル作成装置１０１は、ネットワークを介した通信機能として、ＷＷＷサーバ１０２からユーザーのラベル印刷の予約情報やデータ変更情報などのデータを受信する受信機能、及びＷＷＷサーバ１０２を介して、電子メールなどによるユーザーの情報端末１０３への各種情報の送信機能を有する。これらの外部とのデータの送受信はネットワークボード４０１を介して行われる。
【００２７】
＜ＷＷＷサーバ＞
ＷＷＷサーバ１０２は、音楽などに関する各種情報を保持しており、データの更新及び追加情報をラベル作成装置１０１へネットワークを通じて送信する機能と、情報端末１０３からの各種要求を受信し、それに応じてラベル作成装置１０１へ転送する機能などを有する。
【００２８】
また、ＷＷＷサーバ１０２は、電子メールを指定されたメールアドレスへ転送するための機能を有し、一般的に言われるメールサーバとしても動作する。このＷＷＷサーバの機能を利用して、ラベル作成装置１０１は、ネットワークを介して各種情報を電子メールとしてユーザーの有する情報端末へ送信することができる。
【００２９】
＜情報端末＞
ユーザーが使用する情報端末１０３は、電子メールの閲覧及び作成・編集機能を有し、またネットワークへの接続手段を有し、ＷＷＷサーバを介して、ラベル作成装置との間で電子メールなどのデータを送受信する機能も有する。
【００３０】
＜システムの詳細な説明＞
本実施形態の情報処理システムを、図５の様なＭＤに貼付するためのＭＤラベルを印刷する例を用いて詳細に説明する。図５は本情報処理システムで印刷されるＭＤラベル画像の例であり、アーティスト名やアルバム名及び曲名が印刷されるラベル部分５０１、及び５０１に関連する情報、及びユーザーに関連する広告などの各種付加情報を印刷する広告・関連情報部分５０２からなる。
【００３１】
図６に本情報処理システムの利用形態を示す。まず、ＷＷＷサーバ、もしくはＷＷＷサーバとネットワーク等を介して接続された情報処理装置などを用いて、プリント情報（例えば楽曲の新譜情報や人気ランキングなど）が更新されると、その変更内容がプリント情報３０３の変更要求としてＷＷＷサーバ１０２からラベル作成装置１０１へ送信される（６０１）。プリント情報の変更要求を受信したラベル作成装置１０１は、自身が保持するプリント情報を更新し、データベースのユーザー情報を検索して（３０６）、更新されたデータの通知を希望するユーザーをリストアップし、それらのユーザーに対して更新の通知を行う（６０２）。ユーザーは情報端末１０３の電子メール送受信機能を利用して通知を受信し、通知内容を考慮した後、ＭＤラベルの印刷を希望する場合はＷＷＷサーバに対してラベル印刷の予約要求を送信する（６０３）。予約要求には、印刷するラベル作成装置を指定するための店舗番号、ユーザー照合のための会員番号とパスワード、印刷するＭＤラベル番号などの予約内容が含まれる。ＷＷＷサーバ１０２は、予約要求を受信すると、当該予約要求に含まれる店舗番号から印刷するラベル作成装置を特定し、該予約要求を予約情報３０２の変更要求としてラベル作成装置１０１へ転送する（６０１）。該予約情報の変更要求を受信したラベル作成装置１０１は、予約情報３０２に含まれる会員番号とパスワードから、ユーザーとデータベースのユーザー情報３０１を照合することにより（３０４）、ユーザー認証をする。ユーザー認証が完了した後は、予約情報の内容から適当なデータとレイアウトを検索して（３０５）、ラベル部分５０１の画像を作成する。加えて、広告などの関連情報としてユーザーの趣向や過去履歴と関連する新譜・イベント・広告情報を検索（３０６）した結果から広告・関連情報部分５０２の画像を作成し、ラベル部分５０１に付加し、図５に示したようなラベル全体の印刷データを作成して、それを保存する。
【００３２】
図７は、本実施形態でのラベル作成装置１０１の一連の動作をフローチャートに示したものである。
【００３３】
ステップＳ７０１で、ラベル作成装置１０１が、ＷＷＷサーバ１０２から変更要求を受信すると、データベースの変更を開始する。尚、本実施形態では、プリント情報の変更要求は、ＷＷＷサーバ１０２からプリント情報の変更要求６０１を受信することによって行われるが、ラベル作成装置１０１の管理者がＣＤ−ＲＯＭなどのリムーバブルメディアを利用してプリント情報のデータ変更作業を行うことによってプリント情報の変更が行われるようにしてもよい。
【００３４】
ステップＳ７０２では、Ｓ７０１で受信した変更要求が、プリント情報３０３の変更要求か予約情報３０２の変更要求かを判断する。
【００３５】
ステップＳ７０２でプリント情報の変更要求であると判断した場合、ステップＳ７０３で、データベース４０３に保持するプリント情報３０３を更新する。プリント情報が更新されると、ステップＳ７０４で、ユーザー情報３０１の趣向や過去履歴を検索することで、更新された内容と関連するユーザーをリストアップし、ステップＳ７０５で、リストアップされたユーザーに対してデータの更新を通知するか否かを判断する。Ｓ７０５で通知しないと判断した場合は、そのまま次の要求を受信するまで待機状態になる（Ｓ７０８）。一方、Ｓ７０５で通知すると判断した場合は、ステップＳ７０６で、通知すると判断したユーザの電子メールアドレスを検索し、ステップＳ７０７で、ＷＷＷサーバの電子メールの送信機能を利用して通知対象のユーザーの情報端末に対して電子メールを送信し、次の要求を受信するまで待機状態になる（Ｓ７０８）。
【００３６】
一方、ステップＳ７０２で予約情報の変更要求であると判断した場合、ステップＳ７０９で、受信した予約情報３０２を追加・変更する。ステップＳ７１０で、当該予約情報をユーザー情報３０１の履歴として記録する。ステップＳ７１１で、予約情報３０２及び予約したユーザーのユーザー情報３０４に関連するプリント情報３０３（ラベル部分５０１、新譜・イベント・広告情報などの広告関連情報）を検索する。ステップＳ７１２では、印刷するラベルの画像データを作成し保存して、待機状態Ｓ７０８となる。
【００３７】
その後、印刷予約したラベルを印刷するには、ユーザーが、予約要求を行った際に指定したラベル作成装置１０１を設置している店舗に出向いた際に、カードリーダ２０５に当該ユーザーのＩＤを格納したＩＤカードを挿入し、暗証番号を入力すると、ユーザー認証を行った後、印刷が行われてラベルを購入することができる（６０４）。その際、ユーザーはタッチパネル式ディスプレイ２０３で、印刷されるラベルを確認して、印刷を行うか否か指示することができる。
【００３８】
尚、ラベルの購入した際の支払いは、ラベル作成装置１０１に、お金を投入する投入口を設けてそこに支払うようにしてもよいし、ラベル作成装置１０１を設置している店舗で支払うようにしてもよいし、クレジットカードなどの読み取り部をラベル作成装置１０１に設けてクレジットカードなどで支払うようにしてもよいし、予約要求６０３を行う際にクレジットカード番号を入力してクレジットカードで支払うようにしてもよい。
【００３９】
以上説明した様に、本実施形態によれば、ユーザーは予約要求を行うだけでラベル画像が作成されるので、ユーザーはいちいち印刷する内容を探し出す必要がなくなる。また、ネットワークを介して電子メールなどの形でのラベル作成装置とユーザーの情報端末との間で情報の送受信が可能となるので、ユーザーは容易に情報の取得ができ、また、注文を簡単に行うことができる。またラベル作成装置がユーザー情報などを保持し、それらを参照し分析することによって、個々のユーザーを対象とした独自の情報を作成するので、各ユーザーに適した情報を迅速かつ確実に提供することが可能となる。また、プリント情報が更新されると、ユーザーに通知がいくので、ユーザーは容易に情報の取得ができ、また注文を簡単に行うことができる。この情報処理システムによって、ユーザーは時間と場所を意識せずに利用でき、所望する情報の送受信が簡単にできるようになる。
【図面の簡単な説明】
【図１】システム構成図である。
【図２】ラベル作成装置構成図である。
【図３】ラベル作成装置保持情報構成図である。
【図４】データベースの管理モジュールを示す図である。
【図５】ＭＤラベル印刷イメージを示す図である。
【図６】情報処理システム構成図である。
【図７】変更要求処理の際の動作を示すフローチャートである。
【符号の説明】
１０１  ラベル作成装置
１０２  ＷＷＷサーバ
１０３  情報端末
１０４  ネットワーク
２０１  ラベル作成装置の筐体
２０２  情報処理部
２０３  タッチパネル式ディスプレイ
２０４  スキャナー
２０５  カードリーダ
２０６  プリンタ
２０７  出力口
３０１  ユーザー情報
３０２  予約情報
３０３  プリント情報
３０４  予約情報からユーザー情報の検索
３０５  予約情報からプリント情報の検索
３０６  ユーザー情報とプリント情報との間の検索
４０１  ネットワークボード
４０２  情報管理モジュール
４０３  データベース
５０１  ラベル部分
５０２  広告・関連情報部分
６０１  データ変更情報の送信
６０２  電子メールによる通知
６０３  予約情報の送信
６０４  ラベルの印刷・購入
【図１】
0004058221.tif 000002
【図２】
0004058221.tif 000003
【図３】
0004058221.tif 000004
【図４】
0004058221.tif 000005
【図５】
0004058221.tif 000006
【図６】
0004058221.tif 000007
【図７】
0004058221.tif 000008